(57)【要約】      （修正有）【課題】個装箱を簡単に連結可能で位置ずれが起きないようにする。【解決手段】隣接する個装箱を連結可能な構造体であり、内部に空間がある直方体状の個装箱100と、隣接する個装箱100を連結すべく個装箱100の内部に一部が収められる連結片200とを有し、個装箱100の縦辺771,772,773,774には箱側スリット761,762,763,764が形成され、連結片200は第１の辺と、第２の辺とを有する長方形状であり、第１の辺には連結片側スリット230が形成され、側面同士を接して隣接する２個の個装箱100の一方の個装箱100の内部に連結片200を収め、連結片200の連結片側スリット230が隣接する２個の個装箱100の接する箱側スリット761,762,763,764に嵌まり込むことで２個の個装箱100を連結する。【選択図】図２
2016059699.tif 000002
【特許請求の範囲】
【請求項１】
隣接する個装箱を連結することができる連結可能な個装箱構造体において、内部に空間がある直方体状の個装箱と、隣接する個装箱を連結すべく前記個装箱の内部に一部が収められる連結片とを具備しており、前記個装箱の４つの縦辺のうち、少なくとも対角に位置する２つの縦辺には箱側スリットが形成され、前記連結片は個装箱の対角線寸法より大きい寸法を有する第１の辺と、個装箱の高さ寸法に等しい寸法を有する第２の辺とを有する長方形状であり、前記第１の辺には第１の辺の始点からの寸法が前記対角線寸法に等しい箇所に連結片側スリットが形成されており、側面同士を接して隣接する２個の個装箱の一方の個装箱の内部に連結片を収め、この連結片の連結片側スリットが、隣接する２個の個装箱の接する箱側スリットに嵌まり込むことで前記２個の個装箱を連結することを特徴とする連結可能な個装箱構造体。
【請求項２】
前記個装箱及び連結片は、段ボールシートからなることを特徴とする請求項１記載の連結可能な個装箱構造体。
【請求項３】
請求項１又は２記載の連結可能な個装箱構造体によって、４個の個装箱を田の字状に並べた個装箱同士を連結片で連結してなる個装箱組と、この個装箱組同士を連結する補助連結片とを具備しており、前記補助連結片は、個装箱の箱側スリットに嵌まり込む補助連結片側スリットを有していることを特徴とする連結可能な個装箱構造体。
【請求項４】
請求項１、２又は３記載の連結可能な個装箱構造体を連結して構成されることを特徴とする組立式家具。
【請求項５】
前記組立式家具は、ベッドであることを特徴とする請求項４記載の組立式家具。
【発明の詳細な説明】
【技術分野】
【０００１】
本発明は、連結可能な個装箱構造体と、これを用いた組立式家具とに関する。
【背景技術】
【０００２】
本願出願人は、意匠登録第１４４７６３４号『折り畳み式簡易ベッド』を出願している。この折り畳み式簡易ベッドは、地震、津波、台風等の自然災害発生時の避難所等で使用されるものであり、ストレスの多い避難所生活であっても、健康を害したりすることなく寝たきりを未然に防止することを目的としたものである。
かかる折り畳み式簡易ベッドは、段ボール紙等の厚紙から構成される折り畳み式簡易ベッドであり、６個のスリーブと、このスリーブに納められる合計２４個の個装箱と、２枚の上板とから構成される。
前記個装箱は、一般的な大きさ（３１６ｍｍ×２１５ｍｍ×３４３ｍｍ）の組立式の段ボール箱であり、強度を増すため内部に補強板を斜交いに入れてある。
また、前記スリーブは、前記個装箱が４個（２×２）納められるものであって、底面及び上面を欠いた四角筒状になっている。
さらに、前記上板は、４個の個装箱が納められた６個のスリーブを縦方向に３個、横方向に２個の合計６個を並べたのとほぼ同等の大きさに設定された段ボール紙等の厚紙であって、４個の個装箱が納められた６個のスリーブを縦方向に３個、横方向に２個の合計６個を並べたものの上に載せるようになっている。
上板を上側に折り曲げると、下側の個装箱が現れる。この個装箱は、被服や小物を収納するための収納スペースとして使用することもできる。
【０００３】
【特許文献１】意匠登録第１４４７６３４号公報
【発明の開示】
【発明が解決しようとする課題】
【０００４】
しかしなから、上述した従来の折り畳み式簡易ベッドは、個装箱と、これを複数個納めるスリーブと、個装箱の上に載せる上板との３種の構成部材からなるため、以下のような問題点があった。
まず、スリーブに個装箱を納めるのに手間がかかった。１個のスリーブに４個の個装箱を押し込むようにして納めるのであるから、押し込むための力が必要になり、力の弱い子ども、女性、高齢者にとっては難しい作業になっていた。
また、個装箱を納めたスリーブは、単に並べられているだけで相互に連結されていないため、使用しているあいだに相互の位置がずれてしまうことがあった。スリーブの位置が大きくずれると、寝ている人が落下する危険性もあった。そこで、粘着テープ等の適宜な手段でスリーブを相互に連結することも行われたが、見栄えがよくない上に、移動等で分解が必要になった場合に手間がかかっていた。
【０００５】
本発明は、上記事情に鑑みて創案されたもので、個装箱を簡単に連結することができ、しかも位置ずれが起きない連結可能な個装箱構造体と、これを用いた組立式家具を提供することを目的としている。
【課題を解決するための手段】
【０００６】
本発明に係る連結可能な個装箱構造体は、隣接する個装箱を連結することができる連結可能な個装箱構造体であって、内部に空間がある直方体状の個装箱と、隣接する個装箱を連結すべく前記個装箱の内部に一部が収められる連結片とを備えており、前記個装箱の４つの縦辺のうち、少なくとも対角に位置する２つの縦辺には箱側スリットが形成され、前記連結片は個装箱の対角線寸法より大きい寸法を有する第１の辺と、個装箱の高さ寸法に等しい寸法を有する第２の辺とを有する長方形状であり、前記第１の辺には第１の辺の始点からの寸法が前記対角線寸法に等しい箇所に連結片側スリットが形成されており、側面同士を接して隣接する２個の個装箱の一方の個装箱の内部に連結片を収め、この連結片の連結片側スリットが、隣接する２個の個装箱の接する箱側スリットに嵌まり込むことで前記２個の個装箱を連結するようになっている。
【発明の効果】
【０００７】
本発明に係る連結可能な個装箱構造体は、連結片を用いて隣接する個装箱を連結するので、従来のようなスリーブを使用する必要がない。このため、だれでも個装箱を簡単に連結、しかも位置ずれが起きないように連結することができる。
【図面の簡単な説明】
【０００８】
【図１】本発明に係る連結可能な個装箱構造体を構成する個装箱の上面部を開放した状態を示す概略的斜視図である。
【図２】本発明に係る連結可能な個装箱構造体の個装箱の上側フラップを取り除いて、個装箱同士の連結をわかりやすくした概略的斜視図である。
【図３】本発明に係る連結可能な個装箱構造体を構成する個装箱を形作る初期段ボールシートの概略的平面図、すなわち個装箱の概略的展開図である。
【図４】本発明に係る連結可能な個装箱構造体を構成する連結片の概略的平面図である。
【図５】本発明に係る連結可能な個装箱構造体を構成する個装箱の閉じた状態の図面であって、同図（Ａ）は概略的平面図、同図（Ｂ）は概略的底面図である。
【図６】本発明に係る連結可能な個装箱構造体を構成する４個の個装箱を４個の連結片を使って田の字状に連結してなる個装箱組の連結状態を示す概略的平面図である。
【図７】本発明に係る連結可能な個装箱構造体を用いて２４個の個装箱をシングルベッドとした状態の各個装箱の連結状態を示す概略的平面図である。
【図８】本発明に係る連結可能な個装箱構造体を用いて６組の個装箱組を連結してシングルベッドとした状態の各個装箱及び各個装箱組の連結状態を示す概略的平面図である。
【図９】本発明に係る連結可能な個装箱構造体を用いて４組の個装箱組と４個の個装箱とを連結して少し小さなシングルベッドとした状態の各個装箱及び各個装箱組の連結状態を示す概略的平面図である。
【図１０】本発明に係る連結可能な個装箱構造体を用いて２０個の個装箱を連結して少し小さなシングルベッドとした状態の各個装箱組の連結状態を示す概略的平面図である。
【図１１】本発明に係る連結可能な箱型構造体を構成する他の個装箱の上面部を開放した状態を示す概略的斜視図である。
【発明を実施するための形態】
【０００９】
本発明の実施の形態に係る連結可能な個装箱構造体は、隣接する個装箱を連結することができる連結可能な個装箱構造体であって、内部に空間がある直方体状の個装箱１００と、隣接する個装箱１００を連結すべく前記個装箱１００の内部に一部が収められる連結片２００とを有しており、前記個装箱１００の４つの縦辺７７１、７７２、７７３、７７４すべてにはそれぞれ箱側スリット７６１、７６２、７６３、７６４が形成され、前記連結片２００は個装箱１００の対角線寸法ＤＬ（図１、図５（Ａ）参照）より大きい寸法Ｗ１を有する第１の辺２１０Ｔ、２１０Ｕと、個装箱１００の高さ寸法Ｈ１に等しい寸法Ｈ２を有する第２の辺２２０Ｒ、２２０Ｌとを有する長方形状であり、前記第１の辺２１０Ｕには第１の辺２１０Ｕの始点２１１Ｕからの寸法ＤＬ２が前記対角線寸法ＤＬに等しい箇所に連結片側スリット２３０が形成されており、側面同士を接して隣接する２個の個装箱１００の一方の個装箱１００の内部に連結片２００を収め、この連結片２００の連結片側スリット２３０が、隣接する２個の個装箱１００の接する箱側スリット７６１、７６２、７６３、７６４に嵌まり込むことで前記２個の個装箱１００を連結するようになっている。
【００１０】
まず、前記個装箱１００は、例えば幅寸法３１６ｍｍ、奥行き寸法２１７ｍｍ、高さ寸法３４３ｍｍの直方体状に形成されている。この個装箱１００の正面部１１０、背面部１３０、右側面部１２０、左側面部１４０からは、図１、図５に示すように、上面部１５０を構成する第１〜第４の上フラップ７１１、７２１、７３１、７４１及び底面部１６０を構成するための第１〜第４の下フラップ７１２、７２２、７３２、７４２が延設されている。
【００１１】
かかる個装箱１００は、１枚の段ボールシートを図３に示すように切り抜いた後、組み立てられたものである。なお、本明細書中では、図３のように切り抜いた段ボールシートを初期段ボールシート７００とする
【００１２】
初期段ボールシート７００は、個装箱１００の正面部１１０となる正面片７１０、右側面部１２０となる右側面片７２０、背面部１３０となる背面片７３０、左側面部１４０となる左側面辺７４０が一列に連結された状態となっている。
なお、本明細書中における段ボールとは、紙製のものだけでなく、合成樹脂製のものをも含む概念である。
【００１３】
また、前記正面片７１０の上縁からは上面部１５０の一部を構成する第１の上フラップ７１１が、前記右側面片７２０の上縁からは上面部１５０の一部を構成する第２の上フラップ７２１が、前記背面片７３０の上縁からは上面部１５０の一部を構成する第３の上フラップ７３１が、前記左側面片７４０の上縁からは上面部１５０の一部を構成する第４の上フラップ７４１がそれぞれ延設されている。
【００１４】
さらに、前記正面片７１０の下縁からは底面部１６０の一部を構成する第１の下フラップ７１２が、前記右側面片７２０の下縁からは底面部１６０の一部を構成する第２の下フラップ７２２が、前記背面片７３０の下縁からは底面部１６０の一部を構成する第３の下フラップ７３２が、前記左側面片７４０の下縁からは底面部１６０の一部を構成する第４の下フラップ７４２がそれぞれ延設されている。
【００１５】
なお、各縦片７７１、７７２、７７３を連結する部分には、個装箱１００への組立が容易になるように山折り線が形成されている。
【００１６】
前記正面片７１０の辺７１０Ａ、すなわち左縁下側からは左側面片７４０と連結するための接続用フラップ７５０が突出形成されている。この接続用フラップ７５０を左側面片７４０の内側面に糊付けすることで初期段ボールシート７００を角筒状に組み立てるのである。
【００１７】
正面片７１０及び背面片７３０は幅寸法３１６ｍｍ、高さ寸法３４３ｍｍ、右側面片７２０及び左側面片７４０は幅寸法２１７ｍｍ、高さ寸法３４３ｍｍとなっている。従って、個装箱１００として組み立てられた状態では、上面部１５０及び底面部１６０は幅寸法３１６ｍｍ、奥行き寸法２１７ｍｍとなる。
【００１８】
正面片７１０の上縁から延設される第１の上フラップ７１１は、幅寸法が３１６ｍｍ、奥行き寸法が１０９ｍｍの長方形状に形成されている。
右側面片７２０の上縁から延設される第２の上フラップ７２１は、幅寸法が２１７ｍｍ、高さ寸法が１０９ｍｍであり、左上隅部がＲの右半分のように切り欠かれている。
【００１９】
背面片７３０の上縁から延設される第３の上フラップ７３１は、幅寸法が３１６ｍｍ、奥行き寸法が１０９ｍｍの長方形状から右側面片７２０に隣接する側を二等辺直角状に切り欠いた形状になっている。
また、左側面片７４０の上縁から延設される第４の上フラップ７４１は、幅寸法が２１５ｍｍ、奥行き寸法が１０９ｍｍの長方形状に形成されている。
【００２０】
なお、第２の上フラップ７２１と第３の上フラップ７３１とが一部を切り欠いた形状になっているのは、上面部１５０の開閉を容易にするためである。
【００２１】
一方、正面片７１０の下縁から延設される第１の下フラップ７１２は、切込みが入れられることで全体が略Ｍ字状に形成されている。切込みが入れられる前では、幅寸法が３１６ｍｍ、奥行き寸法が１０９ｍｍの長方形状を呈している。
右側面片７２０の下縁から延設される第２の下フラップ７２２は、切込みが入れられることで全体が下窄まりの略Ｙ字状に形成されている。切込みが入れられる前では、幅寸法が２１７ｍｍ、奥行き寸法が１０９ｍｍの長方形状を呈している。
【００２２】
背面片７３０の下縁から延設される第３の下フラップ７３２は、切込みが入れられることで全体が略Ｍ字状に形成されている。切込みが入れられる前では、幅寸法が３１６ｍｍ、奥行き寸法が１０９ｍｍの長方形状を呈している。なお、この第３の下フラップ７３２は、第１の下フラップ７１２と同一形状になっている。
また、左側面片７４０の下縁から延設される第４の下フラップ７４２は、切込みが入れられることで全体が下窄まりの略Ｙ字状に形成されている。切込みが入れられる前では、幅寸法が２１７ｍｍ、奥行き寸法が１０９ｍｍの長方形状を呈している。なお、この第４の下フラップ７４２は、第２の下フラップ７２２と同一形状になっている。
【００２３】
なお、各部の寸法は、上述したものに限定されるものではなく、適宜変更可能なものである。
【００２４】
第１〜第４の下フラップ７１２、７２２、７３２、７４２が一部を切り欠いた形状になっているのは、底面部１６０の開閉を容易にするためである。
【００２５】
一方、正面片７１０と右側面片７２０との間の縦辺７７１、右側面片７２０と背面片７３０との間の縦辺７７２、背面片７３０と左側面片７４０との間の縦辺７７３には、それぞれ箱側スリット７６１、７６２、７６３が形成されている。
この各箱側スリット７６１、７６２、７６３は、各縦辺７７１、７７２、７７３の上縁部から形成されている。各箱側スリット７６１、７６２、７６３は、各縦辺７７１、７７２、７７３の寸法の１／３の長さに設定されている。
【００２６】
また、前記接続用フラップ７５０は、正面片７１０の左側面側片７４０側の辺７１０Ａの下２／３の範囲に形成されているので、この接続用フラップ７５０を用いて正面片７１０と左側面片７４０とを接続すれば、接続用フラップ７５０のない部分が前記箱側スリット７６１、７６２、７６３と同様に形成されることになる。
【００２７】
なお、各上フラップ７１１、７２１、７３１、７４１、下フラップ７１２、７２２、７３２、７４２の形状は、上述したものに限定されるものではなく、多種多様な形状とすることが可能である。
【００２８】
このように構成された初期段ボールシート７００は、以下のようにして個装箱１００に組み立てられる。
まず、各縦辺７７１、７７２、７７３を山折りし、接続用フラップ７５０の表面に接着剤を塗布する。そして、接続用フラップ７５０を左側面片７４０の裏面に糊付けする。これで、初期段ボールシート７００は角筒状になる。
次に、第１〜第４の下フラップ７１２、７２２、７３２、７４２を内側に向かって折り込みそれぞれを組み合わせる。これにより、底面部１６０が完成する。
【００２９】
個装箱１００とするのであれば、第１〜第４の上フラップ７１１、７２１、７３１、７４１を内側に向かって折り込むのであるが、折り込んでしまえば、連結片２００による個装箱１００の連結ができなくなるので、一旦はこのままの状態、すなわち上面部１５０が開放された状態を保持しておく。
なお、この状態になれば、連結用フラップ７５０が設けられていた部分、すなわち正面部１１０と左側面部１４０とが交わる部分には、縦辺７７４と箱側スリット７６４とが形成されることになる。
【００３０】
なお、前記第１〜第４の下フラップ７１２、７２２、７３２、７４２は、図５（Ｂ）に示すようにして組み合わせる。
まず、第１の下フラップ７１２及び第３の下フラップ７３２とを折り込む。その後、第２の下ラップ７２２と第４の下フラップ７４２とを押し込む。すると、第２の下フラップ７２２及び第４の下フラップ７４２の突出した先端部分が、第１の下フラップ７１２及び第３の下フラップ７３２のＭ字の切込み部分に自然と入り込んで閉じられ、底面部１６０となる。
【００３１】
一方、前記連結片２００は、前記個装箱１００の対角線寸法より大きい寸法を有する一対の第１の辺２１０Ｔ、２１０Ｕと、個装箱１００の高さ寸法Ｈ１に等しい寸法Ｈ２を有する一対の第２の辺２２０Ｒ、２１０Ｌとを有する長方形状であり、前記一対の第１の辺２１０Ｔ、２１０Ｕのうち、個装箱１００に収められると底面部１６０の内側に接する下側の第１の辺２１０Ｕから上側に向かって連結片側スリット２３０が形成されている。この連結片側スリット２３０は、下側の第１の辺２１０Ｕの始点２１１Ｕからの寸法ＤＬ２が前記対角線寸法ＤＬに等しい箇所に連結片側スリット２３０が形成されている。
なお、この連結辺側スリット２３０より先端側の第２の辺２２０Ｒまでを余片２４０と称する。
また、前記連結片側スリット２３０の終端から第１の辺２１０Ｔに向かってスリット側折曲線２３０Ｔが形成されている。このスリット側折曲線２３０Ｔは、連結片側スリット２３０を箱側スリット７６１、７６２、７６３、７６４に嵌めた場合、スムーズに折り曲げられるように予め形成されているものである。このスリット側折曲線２３０Ｔは折曲がスムーズになるようにミシン目で構成してもよい。
さらに、前記スリット側折曲線２３０Ｔと平行に、かつスリット側折曲片２３０Ｔからみて余辺２４０の反対側には補助折曲線２５０が形成されている。この補助折曲線２５０とスリット側折曲線２３０Ｔとの間の寸法は、個装箱１００の右側面片７２０、左側面部１４０の幅寸法に等しく設定されている。この補助折曲線２５０は、連結片２００を後述する補助連結片６００として用いる場合にスムーズに折曲できるように予め形成されているものである。
【００３２】
この連結片２００の高さ寸法Ｈ２が個装箱１００の高さ寸法Ｈ１に等しいため、連結片２００は個装箱１００の上下方向に加わる力を受けることになる。従って、連結片２００が存在しない個装箱１００より上下方向に強固になっている。これは、ベッドとして使用した場合、連結片２００でも使用者の体重を受けることができるので、軽量ながら強固なベッドとすることができるというメリットがある。
なお、連結片２００は個装箱１００の対角に配置されるて個装箱１００同士を連結するとしたが、この連結片２００の代わりにＸ字状のＸ型連結片（図示省略）を用いてもよいことはいうまでない。このＸ型連結片は個装箱１００の強度をより向上させるというメリットもある。
【００３３】
このように構成された前記個装箱１００は、前記連結片２００によって以下のようにして連結される。
ここでは、図２及び図６を参照しつつ、４個の第１〜第４の個装箱１００Ａ〜１００Ｄを４個の第１〜第４連結片２００Ａ〜２００Ｄによって連結する手順を示す。
まず、４個の個装箱１００Ａ、１００Ｂ、１００Ｃ、１００Ｄを図６に示すように田の字状に並べる。すなわち、第１の個装箱１００Ａの背面部１３０Ａと、第２の個装箱１００Ｂの正面部１１０Ｂとを密着させるとともに、第３の個装箱１００Ｃの背面部１３０Ｃと、第４の個装箱１００Ｄの正面部１１０Ｄとを密着させる。
また、同時に、第１の個装箱１００Ａの右側面部１２０Ａと、第３の個装箱１００Ｃの左側面部１４０Ｃとを密着させるとともに、第２の個装箱１００Ｂの右側面部１２０Ｂと、第４の個装箱１００Ｄの左側面部１４０Ｄとを密着させる。
【００３４】
この状態にある４個の個装箱１００Ａ〜１００Ｄをそれぞれ連結片２００Ａ〜２００Ｄによって連結する。連結の順番は、第１の個装箱１００Ａと第３の個装箱１００Ｃ、第３の個装箱１００Ｃと第４の個装箱１００Ｄ、第４の個装箱１００Ｄと第２の個装箱１００Ｂ、第２の個装箱１００Ｂと第１の個装箱１００Ａの順に行う。
【００３５】
第１の個装箱１００Ａと第３の個装箱１００Ｃとの連結
まず、第１の個装箱１００Ａの内部に第１の連結片２００Ａを収める。これと同時に、第１の連結片２００Ａの連結片側スリット２３０Ａを第１の個装箱１００Ａの箱側スリット７６１と第３の個装箱１００Ｃの箱側スリット７６４とに嵌め込む。
これによって、第１の個装箱１００Ａと第３の個装箱１００Ｃとが連結される。
なお、第１の連結片２００Ａの連結片側スリット２３０Ａより先端側の余片２４０Ａは、第３の個装箱１００Ｃの内部に入り込む。
【００３６】
第３の個装箱１００Ｃと第４の個装箱１００Ｄとの連結
第３の個装箱１００Ｃの内部に第３の連結片２００Ｃを収める。これと同時に、第３の連結片２００Ｃの連結片側スリット２３０Ｃを第３の個装箱１００Ｃの箱側スリット７６２と第４の個装箱１００Ｄの箱側スリット７６１とに嵌め込む。
これによって、第３の個装箱１００Ｃと第４の個装箱１００Ｄとが連結される。
なお、第３の連結片２００Ｃの連結片側スリット２３０Ｃより先端側の余片２４０Ｃは、第４の個装箱１００Ｄの内部に入り込む。
【００３７】
第４の個装箱１００Ｄと第２の個装箱１００Ｂとの連結
第４の個装箱１００Ｄの内部に第４の連結片２００Ｄを収める。これと同時に、第４の連結片２００Ｄの連結片側スリット２３０Ｄを第４の個装箱１００Ｄの箱側スリット７６３と第２の個装箱１００Ｂの箱側スリット７６２とに嵌め込む。
これによって、第４の個装箱１００Ｄと第２の個装箱１００Ｂとが連結される。
なお、第４の連結片２００Ｄの連結片側スリット２３０Ｄより先端側の余片２４０Ｄは、第２の個装箱１００Ｂの内部に入り込む。
【００３８】
第２の個装箱１００Ｂと第１の個装箱１００Ａとの連結
第２の個装箱１００Ｂの内部に第２の連結片２００Ｂを収める。これと同時に、第２の連結片２００Ｂの連結片側スリット２３０Ｂを第２の個装箱１００Ｂの箱側スリット７６４と第１の個装箱１００Ａの箱側スリット７６３とに嵌め込む。
これによって、第２の個装箱１００Ｂと第１の個装箱１００Ａとが連結される。
なお、第２の連結片２００Ｂの連結片側スリット２３０Ｂより先端側の余片２４０Ｂは、第１の個装箱１００Ａの内部に入り込む。
【００３９】
このようにして４個の個装箱１００Ａ〜１００Ｄを連結したならば、各個装箱１００Ａ〜１００Ｄの第１〜第４の上フラップ７１１、７２１、７３１、７４１を組み合わせて閉じ、上面部１５０とする。
なお、この第１〜第４の上フラップ７１１、７２１、７３１、７４１は、図５（Ａ）に示すように、第１の上フラップ７１１の下側に第４の上フラップ７４１の約半分が位置し、第１の上フラップ７１１の約１／３が第２の上フラップ７２１の下側に位置し、第２の上フラップ７２１の約半分（Ｒの右半分のようになった部分）が第３の上フラップ７３１の下側に位置し、第３の上フラップ７３１の約１／３が第４の上フラップ７４１の下側に位置する。
【００４０】
上述したような手順で４個の個装箱１００Ａ〜１００Ｄが連結される。なお、本明細書では、４個の個装箱１００Ａ〜１００Ｄが田の字状に連結されたものを個装箱組５００と称する。
この個装箱組５００を縦長にして横に２組、縦に３組の合計６組（個装箱１００は２４個）並べるとシングルサイズのベッドとして使用することができる。
しかも、この並べた個装箱１００の上に、全体と同じサイズの段ボールシート又は厚板等を１枚又は複数枚積層し、その上に敷布団を敷くと、各個装箱１００の上面部１５０の凹凸が感じられなくなるので都合がよい。
また、個装箱組５００の並べ方を変更することで、自由自在にダブルサイズ、キングサイズ等に変更することができる。
【００４１】
また、６組の個装箱組５００を単に並べるだけでなく、図８に示すように、補助連結片６００Ａ〜６００Ｆを用いて相互に連携することで、連結をより強固にすることができる。
図８に示すものは、個装箱組５００を縦長にして横に２組、縦に３組の合計６組（個装箱１００は２４個）並べてたものであって、各個装箱組５００が補助連結片６００Ａ〜６００Ｆで連結されている。
【００４２】
前記補助連結片６００は、上述した連結片２００と同等の構造を有するものである。なお、この補助連結片６００には補助連結片側スリット６３０が設けられている。なお、この補助連結片６００は、連結片２００と同等の構造を有するものであるから、補助折曲線２５０に相当する折曲線も予め形成されている。補助連結片６００で個装箱組５００を連結する場合には、図示はしていないが、補助折曲線２５０に相当する部分から折曲され、補助折曲線２５０に相当する部分より先端は、個装箱１００の右側面部１２０、左側面部１４０のいづれかに内側から当接するように折曲され、個装箱１００、ひいては個装箱組５００の強度の向上に資するものとなる。
かかる補助連結片６００は、各個装箱１００を連結するものではなく、個装箱組５００を連結するものである。
なお、この補助連結片６００は、連結片２００と同等でなくともよい。例えば、補助連結辺側スリットを設けた縦長片（高さ寸法は個装箱１００の高さ寸法Ｈ１と同等）であってもよい。
【００４３】
図８に示すように、右上の個装箱組５００ＲＴと左上の個装箱組５００ＬＴとは、第１の補助連結片６００Ａによって連結される。すなわち、右上の個装箱組５００ＲＴの左上側に位置する第１の個装箱１００Ａの箱側スリット７６２と、左上の個装箱組５００ＬＴの右上側に位置する第２の個装箱１００Ｂの箱側スリット７６１とに、補助連結片側スリット６３０Ａを嵌め込むのである。
これで、右上の個装箱組５００ＲＴと左上の個装箱組５００ＬＴとが連結される。
【００４４】
また、右上の個装箱箱５００ＲＴと右中の個装箱組５００ＲＭとは、第２の補助連結片６００Ｂによって連結される。すなわち、右上の個装箱箱５００ＲＴの右下に位置する第４の個装箱２００Ｄの箱スリット７６４と、右中の個装箱組５００ＲＭの右上に位置する第２の個装箱１００Ｂの箱側スリット７６１とに、補助連結片側スリット６３０Ｂを嵌め込むのである。
これで、右上の個装箱箱５００ＲＴと右中の個装箱組５００ＲＭとが連結される。
【００４５】
また、左上の個装箱組５００ＬＴと左中の個装箱組５００ＬＭとは、第３の補助連結片６００Ｃによって連結される。すなわち、左上の個装箱組５００ＬＴの左下に位置する第３の個装箱１００Ｃの箱側スリット７６３と、左中の個装箱組５００ＬＭの左上に位置する第１の個装箱１００Ａの箱側スリット７６２とに、補助連結片側スリット６３０Ｃを嵌め込むのである。
これで、左上の個装箱組５００ＬＴと左中の個装箱組５００ＬＭとが連結される。
【００４６】
また、右中の個装箱組５００ＲＭと右下の個装箱組５００ＲＵとは、第４の補助連結片６００Ｄによって連結される。右中の個装箱組５００ＲＭの右下に位置する第４の個装箱１００Ｄの箱側スリット７６４と、右下の個装箱組５００ＲＵの右上に位置する第２の個装箱１００Ｂの箱側スリット７６１とに、補助連結片６００Ｄの補助連結片側スリット６３０Ｄを嵌め込むのである。
これで、右中の個装箱組５００ＲＭと右下の個装箱組５００ＲＵとが連結される。
【００４７】
また、左中の個装箱組５００ＬＭと左下の個装箱組５００ＬＵとは、第５の補助連結片６００Ｅによって連結される。左中の個装箱組５００ＬＭの左下に位置する第３の個装箱１００Ｃの箱側スリット７６３と、左下の個装箱組５００ＬＵの左上に位置する第１の個装箱１００Ａの箱側スリット７６２とに、補助連結片６００Ｅの補助連結片側スリット６３０Ｅを嵌め込むのである。
これで、左中の個装箱組５００ＬＭと左下の個装箱組５００ＬＵとが連結される。
【００４８】
また、右下の個装箱組５００ＲＵと左下の個装箱組５００ＬＵとは、第６の補助連結片６００Ｆによって連結される。右下の個装箱組５００ＲＵの左下に位置する第３の個装箱１００Ｃの箱側スリット７６３と、左下の個装箱組５００ＬＵの右下に位置する第４の個装箱１００Ｄの箱側スリット７６４とに、補助連結片６００Ｆの補助連結片側スリット６３０Ｆを嵌め込むのである。
これで、右下の個装箱組５００ＲＵと左下の個装箱組５００ＬＵとが連結される。
【００４９】
上述したように、６個の補助連結片６００Ａ〜６００Ｆを用いて、６組の個装箱組５００ＲＴ、５００ＬＴ、５００ＲＭ、５００ＬＭ、５００ＲＵ、５００ＬＵが連結される。  補助連結片６００Ａ〜６００Ｆで個装箱組５００ＲＴ、５００ＬＴ、５００ＲＭ、５００ＬＭ、５００ＲＵ、５００ＬＵが連結されているので、単に複数個の個装箱組５００を並べたものより強固になっているので、かなりの重量が加えられるベッドとして適したものになっている。
なお、補助連結片６００を挿入する際は、連結のため隣接する個装箱組５００を構成する各個装箱１００の上フラップ７１１、７２１、７３１、７４１が開いた状態で行い、補助連結片６００を挿入した後にそれらの上フラップ７１１、７２１、７３１、７４１を閉じる。
また、ベッドとして使用する場合には、全体と同じサイズの段ボールシート又は厚板等を１枚又は複数枚積層し、その上に敷布団を敷くと、各個装箱１００の上面部１５０の凹凸が感じられなくなるので都合がよい。
【００５０】
上述したものは、６組の個装箱組５００ＲＴ、５００ＬＴ、５００ＲＭ、５００ＬＭ、５００ＲＵ、５００ＬＵを連結するものであったが、設置する箇所のスペース等の問題から、個装箱組５００と個装箱１００を連結したタイプのものがよいこともある。
かかる場合には、図９に示すように、個装箱１００と個装箱組５００とを連結片２００及び補助連結片６００で連結するとよい。
【００５１】
図９に示すものは、４組の個装箱組５００ＲＴ、５００ＲＵ、５００ＬＴ、５００ＬＵと、４個の個装箱１００Ｒ１、１００Ｒ２、１００Ｌ２、１００Ｌ１から構成される。個装箱組５００ＲＴ、５００ＬＴを縦長にして横に２組並べ、その下方に４個の個装箱１００Ｒ１、１００Ｒ２、１００Ｌ２、１００Ｌ１を縦長にして横一列に並べ、さらにその下方に２組の個装箱組５００ＲＵ、５００ＬＵを縦長にして並べている。
これらは、個装箱組５００ＲＴ、５００ＲＵ、５００ＬＴ、５００ＬＵ内で使用されている連結片２００以外に４個の連結片２００Ｒ１、２００Ｒ２、２００Ｌ２、２００Ｌ１と、４個の補助連結片６３０Ａ、６３０Ｂ、６３０Ｃ、６３０Ｄとで相互に連結される。
【００５２】
図９に示すように、右上の個装箱組５００ＲＴと左上の個装箱組５００ＬＴとは、第１の補助連結片６００Ａによって連結されている。すなわち、右上の個装箱組５００ＲＴの左上に位置する第１の個装箱１００Ａの箱側スリット７６２と、左上の個装箱組５００ＬＴの右上に位置する第２の個装箱１００Ｂの箱側スリット７６１とに、第１の補助連結片６００Ａの補助連結片側スリット６３０Ａを嵌め込むのである。
これにより、右上の個装箱組５００ＲＴと左上の個装箱組５００ＬＴとが連結される。
【００５３】
横一列に並べられた４個の個装箱１００Ｒ１、１００Ｒ２、１００Ｌ２、１００Ｌ１は、次のようにして連結される。
まず、最も右端の個装箱１００Ｒ１は、内部に収めた連結片２００Ｒ１の連結片スリット２３０Ｒ１を自身の箱側スリット７６１と、右上の個装箱組５００ＲＴの右下の第４の個装箱１００Ｄの箱側スリット７６４とに嵌め込む。
これで、最も右側の個装箱１００Ｒ１は、右上の個装箱組５００ＲＴと連結される。
【００５４】
右から２番目の個装箱１００Ｒ２は、内部に収めた連結片２００Ｒ２の連結片側スリット２３０Ｒ２を自身の箱側スリット７６２と、自身に隣接する左から２番目の個装箱１００Ｌ２の箱側スリット７６１とに嵌め込む。
これで、右から２番目の個装箱１００Ｒ２は、左から２番目の個装箱２００Ｌ２と連結される。
【００５５】
また、左から２番目の個装箱１００Ｌ２は、内部に収めた連結片２００Ｌ２の連結片側スリット２３０Ｌ２を自身の箱側スリット７６４と、自身に隣接する右から２番目の個装箱１００Ｒ２の箱側スリット７６３とに嵌め込む。
これで、左から２番目の個装箱１００Ｌ２は、右から２番目の個装箱１００Ｒ２とさらに連結される。
【００５６】
さらに、最も左側の個装箱１００Ｌ１は、第２の補助連結片６００Ｂよって左上の個装箱組５００ＬＴと連結される。
すなわち、最も左側の個装箱１００Ｌ１の箱側スリット７６２と、左上の個装箱組５００ＬＴの左下に位置する第３の個装箱１００Ｃの箱側スリット７６３とに、第２の補助連結片６００Ｂの補助連結片側スリット６３０Ｂを嵌め込む。
【００５７】
一方、右下の個装箱組５００ＲＵは、第３の補助連結片６００Ｃによって、前記最も右側の個装箱１００Ｒ１と連結される。
すなわち、第３の補助連結片６００Ｃの補助連結片側スリット６３０Ｃに、右下の個装箱組５００ＲＵの右上に位置する第２の個装箱１００Ｂの箱側スリット７６１と、最も右側の個装箱１００Ｒ１の箱側スリット７６４とを嵌め込む。
これで、右下の個装箱組５００ＲＵは、最も右側の個装箱１００Ｒ１と連結された。
【００５８】
左下の個装箱組５００ＬＵは、最も左側の個装箱１００Ｌ１の内部に収められた連結片２００Ｌ１によって前記個装箱１００Ｌ１と連結される。
すなわち、前記連結片２００Ｌ１の連結片側スリット２３０Ｌ１を、左下の個装箱組５００ＬＵの左上に位置する第１の個装箱１００Ａの箱側スリット７６２と、最も左側の個装箱１００Ｌ１の箱側スリット７６３とに嵌め込む。
これで、左下の個装箱組５００ＬＵは、最も左側の個装箱１００Ｌ１と連結された。
【００５９】
また、右下の個装箱組５００ＲＵと左下の個装箱組５００ＬＵとは、第４の補助連結片側６００Ｄによって連結される。
すなわち、第４の補助連結片６００Ｄの補助連結片側スリット６３０Ｄに、右下の個装箱組５００ＲＵの左下に位置する第３の個装箱１００Ｃの箱側スリット７６３と、左下の個装箱組５００ＬＵの右下に位置する第４の個装箱１００Ｄの箱側スリット７６４とを嵌め込む。
これで、右下の個装箱組５００ＲＵと左下の個装箱組５００ＬＵとが連結される。
【００６０】
なお、中央に位置する２つの個装箱１００Ｒ２と個装箱１００Ｌ２とは、連結片２００Ｒ２、２００Ｌ２によって相互には連結されているが、他の個装箱や個装箱組とは連結されていない。
しかしながら、この２つの個装箱１００Ｒ２、１００Ｌ２は、額縁状に連結された他の個装箱や個装箱組の内側に位置しているので、特に他の個装箱や個装箱組に連結されていなくても問題はない。また、個装箱１００Ｒ１と個装箱１００Ｒ２とを、個装箱１００Ｌ１と個装箱１００Ｌ２とをそれぞれ補助連結片６００で連結することで、４個の個装箱１００Ｒ１、１００Ｒ２、１００Ｌ２、１００Ｌ１をより強固に連結することができる。
【００６１】
上述したものでは、補助連結片６００Ａ、６００Ｂ、６００Ｃ、６００Ｄと、連結片２００Ｒ１、２００Ｒ２、２００Ｌ２、２００Ｌ１とを用いて、４組の個装箱組５００ＲＴ、５００ＬＴ、５００ＲＵ、５００ＬＵ、４個の個装箱１００Ｒ１、１００Ｒ２、１００Ｌ２、１００Ｌ１を連結する構造を示したが、補助連結片６００Ａ、６００Ｂ、６００Ｃ、６００Ｄを用いることなく、しかも田の字状になった個装箱組５００ＲＴ、５００ＬＴ、５００ＲＵ、５００ＬＵを作ることなく、２０個の個装箱を連結してベッドとする構造について、図１０を参照しつつ説明する。
【００６２】
まず、図１０に示すものでは、横方向に４個、縦方向に５個の合計２０個の個装箱１００を使用する。
すると、外側個装箱は、最も右列に位置する外側個装箱１００Ｒ１１、１００Ｒ１２、１００Ｒ１３、１００Ｒ１４、１００Ｒ１５、右から二列目に位置する１００Ｒ２１、１００Ｒ２５、最も左列に位置する外側個装箱１００Ｌ１１、１００Ｌ１２、１００Ｌ１３、１００Ｌ１４、１００Ｌ１５、左から二列目に位置する１００Ｌ２１、１００Ｌ２５の合計１４個になる。
【００６３】
また、内側個装箱は、右から二列目に位置する１００Ｒ２２、１００Ｒ２３、１００Ｒ２４、左から二列目に位置する１００Ｌ２２、１００Ｌ２３、１００Ｌ２４の合計６個になる。
【００６４】
この図１０に示す構造は、外側に位置する１４個の外側個装箱同士を連結片で略ロ字状に形成し、その内側に相互に連結した６個の内側個装箱を詰め込むことで、２０個の個装箱を連結してベッドとしたものである。
６個の内側個装箱１００Ｒ２２、１００Ｒ２３、１００Ｒ２４、１００Ｌ２２、１００Ｌ２３、１００Ｌ２４は、６個の連結片２００ｆ、２００ｇ、２００ｋ、２００ｐ、２００ｎ、２００ｊで環状に連結される。
詳述すると、内側個装箱１００Ｒ２２と、内側個装箱１００Ｌ２２とは、連結片２００ｆによって連結される。
また、内側個装箱１００Ｌ２２と内側個装箱１００Ｌ２３とは、連結片２００ｇによって連結される。
また、内側個装箱１００Ｌ２３と内側個装箱Ｌ２４とは、連結片２００ｋによって連結される。
また、内側個装箱１００Ｌ２４と内側個装箱１００Ｒ２４とは、連結片２００ｐによって連結される。
また、内側個装箱１００Ｒ２４と内側個装箱１００Ｒ２３とは、連結片２００ｎによって連結される。
また、内側個装箱１００Ｒ２３と内側個装箱１００Ｒ２２とは、連結片２００ｊによって連結される。
【００６５】
一方、１４個の外側個装箱１００Ｒ１１、１００Ｒ１２、１００Ｒ１３、１００Ｒ１４、１００Ｒ１５、１００Ｒ２１、１００Ｒ２５、１００Ｌ１１、１００Ｌ１２、１００Ｌ１３、１００Ｌ１４、１００Ｌ１５、１００Ｌ２１、１００Ｌ２５は、１４個の連結片２００ａ、２００ｂ、２００ｃ、２００ｄ、２００ｈ、２００ｌ、２００ｑ、２００ｕ、２００ｔ、２００ｓ、２００ｒ、２００ｍ、２００ｉ、２００ｅで環状に連結される。
【００６６】
具体的には、外側個装箱１００Ｒ１１と外側個装箱１００Ｒ２１とは、連結片２００ａで連結される。
また、外側個装箱１００Ｒ２１と外側個装箱１００Ｌ２１とは、連結片２００ｂで連結される。
また，外側個装箱１００Ｌ２１と外側個装箱１００Ｌ１１とは、連結片２００ｃで連結される。
【００６７】
さらに、外側個装箱１００Ｌ１１と外側個装箱１００Ｌ１２とは、連結片２００ｄで連結される。
また、外側個装箱１００Ｌ１２と外側個装箱１００Ｌ１３とは、連結片２００ｈで連結される
また、外側個装箱１００Ｌ１３と外側個装箱１００Ｌ１４とは、連結片２００ｌで連結される。
また、外側個装箱１００Ｌ１４と外側個装箱１００Ｌ１５とは、連結片２００ｑで連結される。
【００６８】
さらに、外側個装箱１００Ｌ１５と外側個装箱１００Ｌ２５とは、連結片２００ｕで連結される。
また、外側個装箱１００Ｌ２５と外側個装箱１００Ｒ２５とは、連結片２００ｔで連結される。
また、外側個装箱１００Ｒ２５と外側個装箱１００Ｒ１５とは、連結片２００ｕで連結される。
【００６９】
さらに、外側個装箱１００Ｒ１５４と外側個装箱１００Ｒ１４とは、連結片２００ｒで連結される。
また、外側個装箱１００Ｒ１４と外側個装箱１００Ｒ１３とは、連結片２００ｍで連結される。
また、外側個装箱１００Ｒ１３と外側個装箱１００Ｒ１２とは、連結片２００ｉで連結される。
また、外側個装箱１００Ｒ１２と外側個装箱１００Ｒ１１とは、連結片２００ｅで連結される。
【００７０】
これにより、１４個の外側個装箱１００Ｒ１１、１００Ｒ１２、１００Ｒ１３、１００Ｒ１４、１００Ｒ１５、１００Ｒ２１、１００Ｒ２５、１００Ｌ１１、１００Ｌ１２、１００Ｌ１３、１００Ｌ１４、１００Ｌ１５、１００Ｌ２１、１００Ｌ２５は、略ロ字状、換言すると略額縁状に相互に連結されることになる。
【００７１】
この略額縁状に連結された１４個の外側個装箱の内側に、６個の内側個装箱を嵌め込むと、内側個装箱は略額縁状に連結された外側個装箱によって外側から抑えられるので、多少のことでは崩れることがない。
また、補助連結片６００を使用せず、個装箱１００及び連結片２００のみで構成されるので、部品の種類を少なくすることができ、組立が簡単になるとともにコストの低減を図ることができるというメリットがある。
【００７２】
なお、図１０に示したものでは、内側個装箱が６個であったので、個装箱組５００とすることはなかったが、内側個装箱が４個又はその倍数であった場合には個装箱組５００を使用することも可能である。
【００７３】
なお、従来の意匠登録第１４４７６３４号『折り畳み式簡易ベッド』では、田の字状に並べた４個の個装箱をスリーブ内に収納し、スリーブを単位として個装箱を整列させる構成のため、偶数個×偶数個（縦方向×横方向）、しかも４の倍数個の個装箱を使用することになる。このため、この『折り畳み式簡易ベッド』では、個装箱を設置すべきスペースに対応した数とすることができない場合もありえた。
これに対して、本発明に係る連結可能な箱型構造体であれば、個装箱組だけでなく、個装箱をも連結することができるため、図９や図１０に示すように、個装箱を奇数個×偶数個（縦方向×横方向）整列させることができる。このため、この連結可能な箱型構造体では、個装箱、個装箱組を設置すべきスペースにより合致させて連結することが可能になる。
また、この連結可能な箱型構造体であれば、個装箱を順番に連結するだけでよいので、まずは個装箱をスリーブ内に収納する作業を必要とする従来の『折り畳み式簡易ベッド』より、組立作業の効率を高めることが可能となる。
【００７４】
また、上述した実施の形態では、個装箱１００の４つのすべての縦辺７７１、７７２、７７３、７７４にそれぞれ箱側スリット７６１、７６２、７６３、７６４が設けられているとしたが、図１１に示すように、４つの縦辺７７１、７７２、７７３、７７４のうち、対角に位置する２つの縦辺７７１、７７３又は７７２、７７４にのみ箱側スリット７６１、７６３又は７６２、７６４を設けるようにしてもよい。
かかる場合は、縦辺７７１及び縦辺７７２にそれぞれ箱側スリット７６１及び箱側スリット７６３を設けたパターン（図１１（Ａ）参照）と、縦辺７７２及び縦辺７７４にそれぞれ箱側スリット７６２及び箱側スリット７６４を設けたパターン（図１１（Ｂ）参照）との２種類の個装箱１００が必要になる。
このように２種類の個装箱１００とした場合には、４つの個装箱１００を田の字状に配列する際には、各個装箱１００の各箱側スリット７６１、７６３又は７６２、７６４がダイヤモンド形状の各頂点に位置するように配列する。このように各個装箱１００を配列することにより、４個の連結片２００で４個の個装箱１００を連結して個装箱組５００とすることができる。
【００７５】
また、個装箱１００の４つの縦辺７７１、７７２、７７３、７７４のうち、３つの縦辺にのみ箱側スリットを設けたものは、対角に位置する２つの縦辺以外の縦辺に設けられた箱側スリットを用いることで他の個装箱組５００との連結が可能になる。
【００７６】
なお、上述した実施の形態では、本発明に係る連結可能な箱型構造体は、ベッドに適用される旨を述べたが、ベッド以外の家具、例えば表彰台等のお立ち台、椅子、ベンチ、テーブル、小上がりにも適用することができる。
例えばお立ち台の場合には、個装箱組５００又は個装箱１００を横方向一列に並べ、その上に段ボールシート又は厚板等を載せることで対応することができる。また、椅子、ベンチも同様である。
テーブルの場合には、一対の個装箱組５００又は個装箱１００を離しておき、その一対の個装箱組５００の上に段ボールシート又は厚板等を渡すことで対応可能である。
さらに、小上がりの場合には、個装箱組５００又は個装箱１００を上述したベッドより縦横方向に数多く並べ、その上に段ボールシート又は厚板等を載せることで対応することができる。
もちろん、本発明に係る連結可能な箱型構造体は、上記以外の家具に適用することも可能であることはいうまでもない。特に、この連結可能な箱型構造体は組立、分解が容易であるので組立式の家具に適したものとなっている。
なお、より荷重が集中的に加わるお立ち台や、中間が空くテーブルの場合には段ボールシートより木質の厚板を使用するほうが強度の面から好ましい。
【符号の説明】
【００７７】
１００    個装箱
２００    連結片
２１０Ｔ、２１０Ｕ  第１の辺
２２０Ｒ、２２０Ｌ  第２の辺
２３０    連結片側スリット
７７１、７７２、７７３、７７４  縦辺
７６１、７６２、７６３、７６４  箱側スリット
【図１】
2016059699.tif 000003
【図２】
2016059699.tif 000004
【図３】
2016059699.tif 000005
【図４】
2016059699.tif 000006
【図５】
2016059699.tif 000007
【図６】
2016059699.tif 000008
【図７】
2016059699.tif 000009
【図８】
2016059699.tif 000010
【図９】
2016059699.tif 000011
【図１０】
2016059699.tif 000012
【図１１】
2016059699.tif 000013